【手続補正書】
【提出日】平成15年6月27日(2003.6.27)
【手続補正１】
【補正対象書類名】明細書
【補正対象項目名】発明の名称
【補正方法】変更
【補正の内容】
【発明の名称】包装袋及び包装袋の開口方法並びに開口装置
【手続補正２】
【補正対象書類名】明細書
【補正対象項目名】特許請求の範囲
【補正方法】変更
【補正の内容】
【特許請求の範囲】
【請求項１】
一対の外面フィルムの間に介在してそれら両フィルムにより形成される袋口を区分けするとともに、袋内を複数の収納部に分割する１又は２以上の分割フィルムを備え、両側から吸着体で袋口を開口する際、外面フィルムの開口縁部あるいはさらに分割フィルムの開口縁部に設けた吸着開口を通してその先にある分割フィルムを吸着できるようにした包装袋において、前記吸着開口が外面フィルム又は分割フィルムに形成された切込み又はスリットであることを特徴とする包装袋。
【請求項２】
一対の外面フィルムの間に介在してそれら両フィルムにより形成される袋口を区分けするとともに、袋内を２つの収納部に分割する分割フィルムを備える包装袋であって、一対の外面フィルムの各々の開口縁部に吸着用切込み又はスリットが形成されていることを特徴とする包装袋。
【請求項３】
一対の外面フィルムの間に介在してそれら両フィルムにより形成される袋口を区分けするとともに、袋内を３以上の収納部に分割する複数の分割フィルムを備える包装袋であって、一対の外面フィルムの各々の開口縁部に２以上の吸着用切込み又はスリットが形成され、各々の分割フィルムの開口縁部にも外面フィルムに形成された吸着用切込み又はスリットの少なくとも１つと重なる位置に吸着用切込み又はスリットが形成されていることを特徴とする包装袋。
【請求項４】
一対の外面フィルムの間に介在してそれら両フィルムにより形成される袋口を区分けするとともに、袋内を２つの収納部に分割する分割フィルムを備える包装袋であって、一方の外面フィルムの高さが他方の外面フィルム及び分割フィルムより低く形成され、前記他方の外面フィルムの開口縁部に吸着用切込み又はスリットが形成されていることを特徴とする包装袋。
【請求項５】
請求項１〜４のいずれかに記載された包装袋の各々の収容部に充填物が収納され、かつ吸着用切込み又はスリットを含む開口縁部が熱シールされたことを特徴とする充填物を収納した包装袋。
【請求項６】
請求項２に記載された包装袋の一対の外面フィルムの開口縁部を吸着盤で吸着していずれか一方の収納部に対応する袋口を開く包装袋の開口方法であり、いずれか一方の外面フィルムに対して吸着用切込み又はスリットから外した位置に吸着盤を宛って該外面フィルムを吸着し、他方の外面フィルムに対して吸着用切込み又はスリットを被う位置に吸着盤を宛って該外面フィルムと分割フィルムを同時に吸着して袋口を開口することを特徴とする包装袋の開口方法。
【請求項７】
請求項２に記載された包装袋の一対の外面フィルムの開口縁部を吸着盤で吸着していずれか一方の収納部に対応する袋口を開く包装袋の開口方法であり、各外面フィルムに対して吸着用切込み又はスリットを被う位置に互いに吸引力の異なる吸着盤を宛い、続いて両吸着盤を離れる方向に動かして袋口を開口することを特徴とする包装袋の開口方法。
【請求項８】
請求項３に記載された包装袋の一対の外面フィルムの開口縁部を吸着盤で吸着していずれか１つの収納部に対応する袋口を開く包装袋の開口方法であり、いずれか一方の外面フィルムに対して吸着用切込み又はスリットを被う位置に吸着盤を宛って該外面フィルムと１又は２以上の分割フィルムを同時に吸着し、他方の外面フィルムに対して吸着用切込み又はスリットから外した位置に吸着盤を宛って該外面フィルムを吸着するか、又は他方の外面フィルムに対して吸着用切込み又はスリットを被う位置に吸着盤を宛って該外面フィルムと残りの分割フィルムを同時に吸着して袋口を開口することを特徴とする包装袋の開口方法。
【請求項９】
請求項４に記載された包装袋の一対の外面フィルムの開口縁部を吸着盤で吸着して袋口を開く包装袋の開口方法であり、前記一方の外面フィルムの側から分割フィルムに対して吸着盤を宛って該分割フィルムを吸着し、前記他方の外面フィルムに対して吸着用切込み又はスリットから外した位置に吸着盤を宛って該外面フィルムを吸着して袋口を開口し、又は前記一方の外面フィルムに対して吸着盤を宛って該外面フィルムを吸着し、前記他方の外面フィルムに対して吸着用切込み又はスリットを被う位置に吸着盤を宛って該外面フィルムと分割フィルムを同時に吸着して袋口を開口することを特徴とする包装袋の開口方法。
【請求項１０】
包装機の第１及び第２充填物投入位置において、請求項２に記載された包装袋の一方の収納部に対応する袋口と他方の収納部に対応する袋口を順次開口する開口装置であって、第１充填物投入位置に、包装袋のいずれか一方の外面フィルムの吸着用切込み又はスリットから外した位置に宛われる吸着盤と、他方の外面フィルムの吸着用切込み又はスリットを被う位置に宛われる吸着盤を備え、第２充填物投入位置に、前記一方の外面フィルムの吸着用切込み又はスリットに宛われる吸着盤と、上記他方の外面フィルムの吸着用切込み又はスリットから外した位置に宛われる吸着盤を備えることを特徴とする包装袋の開口装置。
【請求項１１】
包装機の充填物投入位置において、請求項２に記載された包装袋の一方の収納部に対応する袋口と他方の収納部に対応する袋口を順次開口する開口装置であって、包装袋の各外面フィルムの吸着用切込み又はスリットを被う位置に宛われる吸着盤を備え、前記各吸着盤は互いに異なる吸引力をもち、かつ一方の収納部に対応する袋口を開口するときと他方の収納部に対応する袋口を開口するときで吸着盤の吸引力の強弱が交代することを特徴とする包装袋の開口装置。
【請求項１２】
請求項３に記載された包装袋のうち分割フィルムが２枚である包装袋の３つの収納部のそれぞれに対応する袋口を順次開口する開口装置であって、包装袋のいずれか一方の外面フィルムの吸着用切込み又はスリットから外した位置に宛われる吸着盤と、他方の外面フィルムの吸着用切込み又はスリットを被いかつその内側の分割フィルムの吸着用切込み又はスリットを被う位置に宛われる吸着盤とからなる第１吸着盤対と、包装袋の前記一方の外面フィルムの吸着用切込み又はスリットを被いかつその内側の分割フィルムの吸着用切込み又はスリットから外した位置に宛われる吸着盤と、包装袋の前記他方の外面フィルムの吸着用切込み又はスリットを被いかつその内側の分割フィルムの吸着用切込み又はスリットから外した位置に宛われる吸着盤とからなる第２吸着盤対と、包装袋の前記一方の外面フィルムの吸着用切込み又はスリットを被いかつその内側の分割フィルムの吸着用切込み又はスリットを被う位置に宛われる吸着盤と、前記他方の外面フィルムの吸着用切込み又はスリットから外した位置に宛われる吸着盤とからなる第３吸着盤対を備えることを特徴とする包装袋の開口装置。
【請求項１３】
請求項４に記載された包装袋の一方の収納部に対応する袋口と他方の収納部に対応する袋口を順次開口する開口装置であって、前記一方の外面フィルムの側において該外面フィルムの上端より高く配置され前記分割フィルムに宛われる吸着盤と、前記他方の外面フィルムの吸着用切込み又はスリットから外した位置に宛われる吸着盤とからなる第１吸着盤対と、前記一方の外面フィルムの側において該外面フィルムを吸着する吸着盤と、前記他方の外面フィルムの吸着用切込み又はスリットを被う位置に宛われる吸着盤からなる第２吸着盤対を備えることを特徴とする包装袋の開口装置。
【手続補正３】
【補正対象書類名】明細書
【補正対象項目名】０００１
【補正方法】変更
【補正の内容】
【０００１】
【産業上の利用分野】
本発明は、２以上の独立した収納部を有し、かつ袋口の開口及び充填物の投入を自動化するのに適する包装袋とその開口方法及び開口装置に関する。